(57)【要約】【課題】表示画面においてポインタが邪魔することなく、カメラによる被写体の動きから操作指示をすることができるデータ処理装置を提供すること。【解決手段】データ処理装置１は、撮像部２５の視野内にある特定被写体２の検出及びデータ処理装置１と特定被写体２との相対的な移動方向・移動量の検出により、表示部２３上のポインタの表示及び移動表示をおこなう。【選択図】図１
2005284644.tif 000002
【特許請求の範囲】
【請求項１】
電子機器に設けられた撮像部の視野内に存在して表示画面上のポインタの移動量及び移動方向の算出基準となる特定被写体と前記撮像部との相対的移動量及び移動方向を検出する検出手段と、
この検出手段により検出された前記相対的移動量及び移動方向に基づいて前記ポインタを前記表示画面内で移動させる表示制御手段と、
前記特定被写体の移動又は操作部からの指示により前記ポインタの選択動作を検出する入力検出手段とを具備することを特徴とするデータ処理装置。
【請求項２】
前記検出手段は、撮影領域上における被写体画像の占有する占有割合が所定の割合を超えた場合に前記特定被写体を検出することを特徴とする請求項１記載のデータ処理装置。
【請求項３】
前記検出手段は、前記占有割合の変化が所定の範囲で所定の時間持続した場合に前記特定被写体を検出することを特徴とする請求項１〜２のいずれか一項に記載のデータ処理装置。
【請求項４】
前記表示制御手段は、前記特定被写体が存在しないと検出された場合にポインタを画面から消去することを特徴とする請求項１〜３のいずれか一項に記載のデータ処理装置。
【請求項５】
前記入力検出手段は、前記特定被写体の所定の方向への移動と該移動の履歴とによりポインタの選択動作を検出することを特徴とする請求項１〜４のいずれか一項に記載のデータ処理装置。
【請求項６】
前記表示制御手段は、前記操作部からの指示によりポインタの表示／非表示を切替えることを特徴とする請求項１〜５のいずれか一項に記載のデータ処理装置。
【請求項７】
コンピュータに対して、
電子機器に設けられた撮像部の視野内に存在して表示画面上のポインタの移動量及び移動方向の算出基準となる特定被写体と前記撮像部との相対的移動量及び移動方向を検出する機能と、
この検出された前記相対的移動量及び移動方向に基づいて前記ポインタを前記表示画面内で移動させる機能と、
前記特定被写体の移動又は操作部からの指示により前記ポインタの選択動作を検出する機能と、
を実現させるためのプログラム。
【発明の詳細な説明】
【技術分野】
【０００１】
本発明は、カメラを利用して表示画面のポインタを入力できるようにしたデータ処理装置およびプログラムに関する。
【背景技術】
【０００２】
従来のデータ処理装置におけるマウスポイントの制御入力方法は、まず画面上にポインタが常に表示されており、ボールマウスや光学マウスの操作や、トラックボールを指で操作、タッチパッドのタッチ操作等によるポインタ移動及び付属ボタン操作によるポイント指示により行われてきた。
それに対して、携帯電話やＰＤＡなどの小型なデータ処理装置の制御入力方法においては、マウスのようなポインタ専用の入力装置を搭載していないものが多く、表示画面に占めるポインタの表示割合も大きく見づらいものとなるため、通常、本体のキー操作による画面上のフォーカス位置の移動及び指示により行われてきた。
そして、近年の携帯端末などでは小型カメラを搭載したものが多くなったため、それをポインタ操作に利用したユーザの指によるポインタ移動及びジェスチャー指示操作方法などが開発されている（特許文献１）。
【特許文献１】特開２００２−２９０５２９号公報
【発明の開示】
【発明が解決しようとする課題】
【０００３】
しかし、従来技術には次のような問題点がある。
すなわち、データ処理装置に装備されたカメラを利用したジェスチャーなどによるポインタ操作指示は、従来からのマウス等の平面上におけるポインタ移動操作と付属ボタン押下による指示操作に慣れているユーザにとって使い慣れないものであった。
また、小型のデータ処理装置では、画面表示領域におけるポインタの占める割合が大きいため、ポインタが常に表示されていると見づらいという問題があった。
【０００４】
以上から、データ処理装置のカメラを利用した操作指示において、より従来のポインティングデバイスであるマウス等に近い操作指示が可能であり、ポインタが表示領域で邪魔することなく確認しやすい画面を表示することについて、さらなる開発が望まれていた。
【０００５】
本発明の課題は、撮像部で捉えた特定被写体の動きから、従来のポインティングデバイスに近い操作指示と、ポインタが邪魔にならない画面表示とを行うことができるデータ処理装置を提供することである。
【課題を解決するための手段】
【０００６】
上記課題を解決するために、請求項１に記載の発明は、
電子機器に設けられた撮像部の視野内に存在して表示画面上のポインタの移動量及び移動方向の算出基準となる特定被写体と前記撮像部との相対的移動量及び移動方向を検出する検出手段と、
この検出手段により検出された前記相対的移動量及び移動方向に基づいて前記ポインタを前記表示画面内で移動させる表示制御手段と、
前記特定被写体の移動又は操作部からの指示により前記ポインタの選択動作を検出する入力検出手段とを具備することを特徴とする。
更に、コンピュータに対して、上述した請求項１記載の発明に示した主要機能を実現させるためのプログラムを提供する（請求項７記載の発明）。
【０００７】
ここでいうポインタとは、画面での操作入力位置を示すものであり、マウスカーソル、反転表示された項目などをいう。
【０００８】
ここでいう特定被写体とは、識別可能な形状又は色彩をもったものであり、ユーザの指、ペン、標識などでもよいが、撮影領域全体を占めてしまう市松模様や格子模様で描かれた壁や床などであっても、撮影領域における移動量が識別できる形状又は色彩のものであればよく、データ処理装置で条件設定をして指定する。
【０００９】
請求項２に記載の発明は、請求項１記載の発明において、前記検出手段は、撮影領域上における被写体画像の占有する占有割合が所定の割合を超えた場合に前記特定被写体を検出することを特徴とする。
【００１０】
請求項３に記載の発明は、請求項１〜２のいずれか一項に記載の発明において、前記検出手段は、前記占有割合の変化が所定の範囲で所定の時間持続した場合に前記特定被写体を検出することを特徴とする。
【００１１】
請求項４に記載の発明は、請求項１〜３のいずれか一項に記載の発明において、前記表示制御手段は、前記特定被写体が存在しないと検出された場合にポインタを画面から消去することを特徴とする。
【００１２】
請求項５に記載の発明は、請求項１〜４いずれか一項に記載の発明において、前記入力検出手段は、前記特定被写体の所定の方向への移動と該移動の履歴とによりポインタの選択動作を検出することを特徴とする。
【００１３】
請求項６に記載の発明は、請求項１〜５いずれか一項に記載の発明において、前記表示制御手段は、前記操作部からの指示によりポインタの表示／非表示を切替えることを特徴とする。
【発明の効果】
【００１４】
請求項１〜３及び７に記載の発明によれば、データ処理装置のカメラ撮影領域にある特定被写体の動作により、前記データ処理装置に操作指示することができる。また、特定被写体が固定状態であり、データ処理装置側を動かすことでも操作指示するができる。
【００１５】
また、ポインタの移動を特定被写体の移動で行い、選択動作を操作部からの例えばボタン指示で行うように分離することで、選択動作処理を単純にすることができるため、処理の負担を少なくすることができる。
【００１６】
また、特定被写体に応じたポインタ動作をマウス等の従来のポインティングデバイス動作と対応させることで、従来のポインティングデバイスに近い動作感覚で操作することができる。たとえば、データ処理装置側を移動することによるポインタの移動指示とボタン操作を併用することで、データ処理装置をマウスと同感覚に移動操作して指示することもできる。
【００１７】
また、特定被写体が検出されない場合はポインタを表示しないため、表示画面において意図しないポインタが表示されることなく、見やすい画面構成にすることができる。
【００１８】
請求項４に記載の発明によれば、特定被写体が撮影範囲からはずれた場合にポインタを画面から消すため、指示後に画面を確認する場合などに、ポインタが邪魔にならないようにすることができる。
【００１９】
請求項５に記載の発明によれば、ポインタの移動動作と選択動作に対して特定被写体の移動量の差別化を行うことができるため、特に選択指示などでデータ処理装置に動作指示する場合にユーザの誤操作を防ぐことができる。
【００２０】
請求項６に記載の発明によれば、ポインタの表示／非表示を操作部からユーザが選択することができる。
【発明を実施するための最良の形態】
【００２１】
［第１の実施の形態］
以下、本発明の実施の形態に係るデータ処理装置１について、図面を参照にしながら説明する。ただし、発明の範囲は図示例に限定されない。
【００２２】
図１に本発明の実施形態に係るデータ処理装置１の正面外観を示す。図１に示すように、データ処理装置１は、例えばデジタルカメラ付きＰＤＡ（Personal  Digital  Assistant）などであり、ユーザに情報を表示する表示部２３、ユーザからの入力指示を受け付ける操作部２４、外部の映像をデジタル画像として撮影する撮像部２５など外部に備える。
【００２３】
なお、本発明の実施例は、ＰＤＡを例として挙げているが、ＰＣ（Personal  Computer）、デジタルカメラなどでもよく、特に限定するものではない。
【００２４】
次に、図３を参照して、データ処理装置１の内部構成を説明する。図３に示すように、データ処理装置１は制御部２１、記憶部２２、表示部２３、操作部２４、撮像部２５を備え、これら各部はバス２８を介して互いに接続する。
【００２５】
制御部２１は、図示しないＣＰＵ（Central  Processing  Unit）、ＲＡＭ（Random  Access  Memory）、ＲＯＭ（Read  Only  Memory）等を備え、ＣＰＵにおいて、ＲＡＭの所定領域を作業領域としてＲＯＭに記憶されている各種制御プログラムに従い、上記各部に制御信号を送ってデータ処理装置１の動作全般を統括制御する。
【００２６】
記憶部２２は、制御部２１により実行される各種制御処理プログラム及びこれらのプログラムで利用するデータ等が予め記憶されている記録媒体を有している。この記録媒体は、揮発メモリ、磁気的・光学的記録媒体又は不揮発性メモリなどで構成されており、ＯＳ（Operating  System）、各種アプリケーションプログラム、各種条件設定又はデータを格納する。
なお、記憶部２２が記憶するプログラム又はデータ等は、その一部又は全部を他の機器から通信ネットワークを介して受信して記憶する構成にしてもよい。また、記録媒体は、通信ネットワーク上に構築された別のホストコンピュータの記録媒体であってもよい。また、記憶部２２が記憶するプログラムを、通信ネットワークを介して他の機器へ伝送して、これらの機器にインストールするような構成にしてもよい。
【００２７】
表示部２３は、液晶ディスプレイなどから構成されており、制御部２１から入力された表示データに基づいてディスプレイ上に画像を表示する。
【００２８】
操作部２４は、データ処理装置１に対する操作指示を入力するための数字キー、文字キー、機能キーなどの各種キーや、タッチパネル等のポインティングデバイスを含んで構成される。ユーザは、表示部２３に表示される画面を参照しながら操作部２４を操作することによりデータ処理装置１に対する各種操作指示を入力する。また、ユーザは、ポインタの表示／非表示の切替え指示を入力する。
【００２９】
撮像部２５は、ガラスやプラスチックなどからなる光学レンズと、ＣＣＤ（Charge  Coupled  Device）やＣＭＯＳ（Complementary  Metal  Oxide  Semiconductor）などの撮像素子を平面上に多数配設した撮像画素面などから構成されており、制御部２１から撮影を行う指示が入力されると、光学レンズを介して入力される被写体の像が撮像画素面上に結像され、撮像素子で電気信号に変換して画像データを生成し、制御部２１へ出力する。
なお、撮像素子は、一回の撮像時に光の三原色の何れか１つの単色光のみを検出するため、複数回撮像することにより、同一画像におけるフルカラー画像を撮像する。
【００３０】
検出部２６は、検出用ＤＳＰ（Digital  Signal  Processor）からなり、制御部２１の指示により、撮像部２５による撮像画像から、特定被写体の検出及び当該特定被写体の移動量の検出を行う。
【００３１】
ここにおける特定被写体の検出及び当該特定被写体の移動量の検出について、図４（ａ）及び（ｂ）を参照して説明する。図４（ａ）は、撮像部２５におけるｎ×ｍ個の撮像素子による撮像画像１２の模式図である。各画像素子は、ｎ列からなる画素列Ｘとｍ行からなる画素行Ｙとから格子行列状に配置されている。
【００３２】
なお、図４（ｂ）は撮像画像１２における特定被写体２を例示した図であり、ここでの特定被写体２は、例えばユーザの指先である。撮像画像１２に網掛け表示されている部分は、色相・明度・彩度から設定された色である肌色と検出された画素である。
【００３３】
この網掛け部分の形状が所定の形状であり、前記形状の撮像領域に占める占有割合が所定の割合を超え、前記占有割合の変化が所定の範囲内で所定の時間継続したことにより、特定被写体２であることが検出される。
【００３４】
例えば、所定の色が肌色であり、形状が指の形状である場合、ユーザは指を撮像部２５に一定時間近づけることにより、特定被写体２であることが検出される。
【００３５】
ここにおける検出は、肌色の検出と形状の判定から行ったが、色及び形状はどのように設定しても良く、特に限定するものではない。例えば、市松模様や格子模様などの一定のパターンの検出であってもよい。
【００３６】
次に図５（ａ）及び（ｂ）を参照して、撮像画素面と平行な平面上を特定被写体２が移動した場合の移動量の検出について説明する。図５（ａ）は、図４（ｂ）において、横軸に画素列Ｘ１〜Ｘｎをとり、縦軸に各画素列の画素行Ｙ１〜Ｙｍにおける特定被写体２と検出された画素の数をとったグラフであり、グラフの山が特定被写体２の存在を表している。また、図５（ｂ）は、図４（ｂ）において、横軸に画素行Ｙ１〜Ｙｍをとり、縦軸に各画素行の画素列Ｘ１〜Ｘｎにおける特定被写体２と検出された画素の数をとったグラフである。
【００３７】
ここで、特定被写体２がＸ方向に移動することにより、図５（ａ）のグラフが対応する方向にシフトし、そのシフト量を検出することにより、Ｘ方向の移動量を検出する。同様に、特定被写体２がＹ方向に移動することにより、図５（ｂ）のグラフが対応する方向にシフトし、そのシフト量を検出することにより、Ｙ方向の移動量を検出する。
【００３８】
次に、撮像画素面に対して対向方向に特定被写体２が移動した場合の移動量の検出について説明する。
特定被写体２が撮像画素面に近づいた場合、全体の画素数に対する特定被写体２と検出された画素の占有率が増加し、その増加量から移動量を検出する。逆に、遠ざかった場合は、前記占有率の減少量から移動量を検出する。
【００３９】
なお、移動量の検出については、上記に限定されるものではなく、特定被写体２の輪郭の撮像画像平面上の移動や拡大・縮小率等から検出するものであってよい。
【００４０】
次に、データ処理装置１の本発明の動作について、図６に示すフローチャートを参照しながら説明する。なお、ここでの動作処理は、データ処理装置１の制御部２１が行うステップＡ１〜ステップＡ１２の各処理によって行われる。このフローチャートは、データ処理装置１を構成するコンピュータに各機能を実現させるためのプログラムを説明するためのものである。以下では、これらのプログラムが、制御部２１が読み取り可能なプログラムコードの形態で記録媒体に格納されている例で説明するが、全ての機能を記録媒体に格納する必要はなく、必要に応じて、その一部又は全部を、図示しない通信ネットワークを介して受信して実現するようにしてもよい。
また、データ処理装置１は、特定被写体２の撮像画素面と平行な平面上の移動をポインタ移動にとして検出し、特定被写体２の撮像画素面と対向方向の移動をポインタ選択動作として検出するように設定されている。
【００４１】
まず、検出部２６において、特定被写体２の検出確認が行われ（ステップＡ１）、特定被写体２が確認されない場合（ステップＡ１；Ｎｏ）、確認されるまで待機される。なお、図８（ａ）〜（ｄ）は、データ処理装置１の動作時における外部前面にある表示部２３と撮像部２５部分の拡大図であり、図８（ａ）は、特定被写体２が確認されるまで待機している状態を示す一例である。
【００４２】
Ａ１において、特定被写体２の検出確認が行われた場合（ステップＡ１；Ｙｅｓ）、表示部２３にポインタ１１が表示される（ステップＡ２）。なお、図８（ｂ）は、特定被写体２が確認され、表示部２３のディスプレイ上にポインタ１１が表示されていることを示す参考例である。
【００４３】
次に、撮像画素面に平行な方向に対する特定被写体２の移動が行われたかが確認され（ステップＡ３）、移動が検出された場合（ステップＡ３；Ｙｅｓ）、移動後の特定被写体２が撮影範囲又は所定の規定範囲内にあるかが検出され（ステップＡ９）、範囲内に無い場合（ステップＡ９；Ｎｏ）、表示部２３のディスプレイ上にあるポインタ１１が消去され（撮像画像１２）、終了される。
【００４４】
ステップＡ９において、範囲内である場合（ステップＡ９；Ｙｅｓ）、表示部２３のディスプレイ上において特定被写体２の移動量に応じたポインタ１１の移動表示が行われ、特定被写体２と撮像画素面との対向方向の移動の履歴である距離値がクリアされ（ステップＡ１１）、ポインタ表示（ステップＡ２）に戻る。
なお、図８（ｃ）は、特定被写体２が矢印Ｂ方向に移動した場合のポインタ移動例を示す図であり、特定被写体２の移動に伴い、表示部２３のディスプレイ上のポインタ１１が矢印Ｂ方向に移動することを示す。
【００４５】
ここにおける距離値のクリアは、ポインタ移動とポインタ選択とを明確に差別して、ユーザがポインタ移動指示を行った時に意図しないポインタ選択が行われないようにするためであるが、特にこの処理を行わず、ポインタ選択したままの移動ができるようにしてもよい。
【００４６】
ステップＡ３において、特定被写体２の移動が検出されない場合（ステップＡ３；Ｎｏ）、特定被写体２と検出された画素の占有率の変化が判定され（ステップＡ４）、特定被写体２と撮像画素面との対向方向の距離に変化がなく、占有率の変化がない場合（ステップＡ４；Ｎｏ）、ポインタ表示（ステップＡ２）に戻る。
【００４７】
ステップＡ４において、占有率の変化がある場合（ステップＡ４；Ｙｅｓ）、占有率が所定の規定値以下であるかが判定され（ステップＡ５）、規定値以下であると判定された場合（ステップＡ５；Ｙｅｓ）、ポインタが消去されて（ステップＡ１２）終了される。これにより、ユーザが意図して撮像部２５から特定被写体２を離してポインタを消去しようとした場合などに対応することができる。
【００４８】
ステップＡ５において、占有率規定値以上である場合（ステップＡ５；Ｎｏ）、占有率の変化量から特定被写体２と撮像画素面との対向方向における移動量が算出され距離値が更新される（ステップＡ６）。
【００４９】
ステップＡ６の後、距離値が規定範囲内であるかが判定され（ステップＡ７）、規定範囲内である場合（ステップＡ７；Ｙｅｓ）、ポインタ表示に戻る（ステップＡ２）。
【００５０】
ステップＡ７において、距離値が規定範囲以上である場合（ステップＡ７；Ｎｏ）、ポインタ選択処理が行われ（ステップＡ８）、ポインタ表示に戻る（ステップＡ２）。
なお、図８（ｄ）は、特定被写体２のポイント選択方向への移動によるポイント選択例を示した図であり、表示部２３のディスプレイ上に表示されているポインタ部分の項目が黒く反転され、選択されていることを示す。
【００５１】
ここにおける規定範囲は、ポインタ移動指示とポインタ選択指示とを明確に区別し、ポインタ選択に重みを持たせ、ユーザが意図しない選択が行われないために設定するものである。
【００５２】
以上のように、本実施の形態によれば、データ処理装置１は、撮像部２５の撮影範囲にある特定被写体２の動作により、ポインタ移動・選択指示を行うことができる。
【００５３】
なお、上述した本実施の形態における記述は、本発明に係るデータ処理装置１の一例であり、これに限定されるものではない。
【００５４】
［第２の実施の形態］
次に、図面を参照して、第２の実施形態に係るデータ処理装置１ａについて説明する。なお、簡略化のため、データ処理装置１と同様の構成については、同一符号を付して説明を省略する。
【００５５】
図２（ａ）は、データ処理装置１ａの外観斜視図であり、表示部２３を備えた上部と、操作部２４を備えた下部とが、撮像部２５を備えたヒンジ２７により接合されており、ヒンジ２７を軸に上部と下部を折り畳むことができる構成となっていることを示す。図２（ｂ）は、データ処理装置１ａの折り畳んだ状態を示す外観図であり、情報を確認するための表示部２３と、簡単な操作指示をするための操作部２４とを備えることを示す。なお、本発明の実施の形態では、上記構成の折り畳み式携帯電話を例として挙げているが、特に限定するものではない。
【００５６】
データ処理装置１ａにおける本発明の動作について、図７に示すフローチャートを参照しながら説明する。なお、ここでの動作処理は、データ処理装置１ａの制御部２１が行うステップＡ２１〜ステップＡ２７の各処理によって行われる。また、特定被写体２の撮像画素面と平行な平面上の移動は、ポインタ移動に対応する。
【００５７】
まず、検出部２６において、特定被写体２の検出確認が行われ（ステップＡ２１）、特定被写体２が確認されない場合（ステップＡ２１；Ｎｏ）、確認されるまで待機する。また、ステップＡ２１において、特定被写体２の検出が行われた場合（ステップＡ２１；Ｙｅｓ）、表示部２３にポインタ１１が表示される（ステップＡ２２）。
【００５８】
ステップＡ２２の後、ポインタ消去指示があるかどうかが判定され（ステップＡ２３）、消去の指示があった場合（ステップＡ２３；Ｙｅｓ）、ポインタが消去され（ステップＡ２７）、終了される。
【００５９】
ステップＡ２３において、消去の指示が無かった場合（ステップＡ２３；Ｎｏ）、特定被写体の撮像画素面に平行な方向に対する特定被写体２の移動が行われたかが判定され（ステップＡ２４）、移動が検出されない場合（ステップＡ２４；Ｎｏ）、ポインタ表示に戻る（ステップＡ２２）。
【００６０】
ステップＡ２４において、移動が検出された場合（ステップＡ２４；Ｙｅｓ）、移動後の特定被写体２が撮影範囲又は所定の規定範囲内にあるかが判定され（ステップＡ２５）、範囲内に無い場合（ステップＡ２５；Ｎｏ）、ポインタが消去され（ステップＡ２７）、終了される。
【００６１】
ステップＡ２５において、範囲内である場合（ステップＡ２５；Ｙｅｓ）、特定被写体２の移動量に応じてポインタの移動表示が行われ（ステップＡ２６）、ポインタ表示に戻る（ステップＡ２２）。
【００６２】
以上説明したように、本実施の形態によれば、データ処理装置１ａは、開いた状態又は折り畳んだ状態において、ヒンジ２７が備える撮像部２５から特定被写体２を検出すること及び操作部２４からの操作指示により、ポインタ移動・選択指示を行うことができる。
行うことができる。
【００６３】
ポインタ選択指示を操作部２４から行うことにより、検出部２６において特定被写体２のポインタ選択指示方向の検出を行わなくて済むので、装置をより簡易なものにすることができる。
【００６４】
また、ユーザは、データ処理装置１の方を移動させて、ポインタ選択指示を操作部２４から行うことにより、よりマウスに近い操作感覚で入力指示をすることができる。
【図面の簡単な説明】
【００６５】
【図１】本発明におけるデータ処理装置１の正面外観を示す図である。
【図２】（ａ）は、本発明におけるデータ処理装置１ａの外観斜視図であり、（ｂ）は、本発明におけるデータ処理装置１ａの折り畳んだ外観を示す図である。
【図３】本発明におけるデータ処理装置１、データ処理装置１ａの内部構成を示すブロック図である。
【図４】（ａ）は、データ処理装置１、データ処理装置１ａにおける撮像画像の模式図であり、（ｂ）は、前記撮像画像における特定被写体２を示した図である。
【図５】（ａ）は、撮像画像における画素列Ｘ１〜Ｘｎを横軸にとり、縦軸に各Ｘ列目の画素Ｙ１〜Ｙｍにおいて特定被写体２と検出された画素の数をとったグラフであり、（ｂ）は、撮像画像における画素行Ｙ１〜Ｙｍを横軸にとり、縦軸に各Ｙ行目の画層Ｘ１〜Ｘｎにおいて特定被写体２と検出された画素の数をとったグラフである。
【図６】第１の実施の形態におけるポインタ移動／選択処理を説明するフローチャート図である。
【図７】第２の実施の形態におけるポインタ移動処理を説明するフローチャート図である。
【図８】（ａ）は、図１に示すデータ処理装置１の動作中における表示部２３を中心とした拡大参考図であり、（ｂ）は、図１に示すデータ処理装置１のポインタ表示時における表示部２３を中心とした拡大参考図であり、（ｃ）は、図１に示すデータ処理装置１のポインタ移動表示時における表示部２３を中心とした拡大参考図であり、（ｄ）は、図１に示すデータ処理装置１のポインタ選択表示時における表示部２３を中心とした拡大参考図である。
【符号の説明】
【００６６】
１，１ａ  データ処理装置
２  特定被写体
１１  ポインタ
１２  撮像画像
２１  制御部
２２  記憶部
２３  表示部
２４  操作部
２５  撮像部
２６  検出部
２７  ヒンジ
２８  バス
【図１】
2005284644.tif 000003
【図２】
2005284644.tif 000004
【図３】
2005284644.tif 000005
【図４】
2005284644.tif 000006
【図５】
2005284644.tif 000007
【図６】
2005284644.tif 000008
【図７】
2005284644.tif 000009
【図８】
2005284644.tif 000010